(57)【要約】      （修正有）【課題】アロハシャツやかりゆしウェア（登録商標）、その他の開襟シャツのように襟の開いた衣類を着用する際に適する下着に関し、このような衣類の開襟部から下着が見えても見苦しさを感じさせない下着を実現する。【解決手段】開襟シャツ１などのように襟の開いた衣類の中に着る下着２であって、開襟部から見え易い領域２ａに、図柄又は文字その他の表示を設けてあるため、他人が見ても、図柄や文字その他の表示が最初に人目に入るので、下着とは思われず、それどころか逆に好感を与えることができる。その結果、新しいファッションとして普及が期待でき、クールビズの普及と省エネ、地球温暖化防止にも寄与できる。【選択図】図１
0003136660.tif 000002
【実用新案登録請求の範囲】
【請求項１】
開襟シャツなどのように襟の開いた衣類の中に着る下着であって、開襟部から見え易い領域に、図柄又は文字その他の表示を設けてなることを特徴とする開襟衣類用の下着。
【請求項２】
前記の表示が、人名や企業名のイニシャルその他の文字又はロゴ若しくは商標であることを特徴とする請求項１に記載の開襟衣類用の下着。
【請求項３】
前記の表示が、地名若しくは地図又は地域のシンボルとなる建造物、自然物若しくは動植物であることを特徴とする請求項１に記載の開襟衣類用の下着。
【請求項４】
前記の表示が、地域の特産品、みやげ品又は伝統品の名称や商標又は図柄であることを特徴とする請求項１に記載の開襟衣類用の下着。
【請求項５】
前記の表示に加えて、装飾に適する小物を取付けてあることを特徴とする請求項１から請求項４までのいずれかの項に記載の開襟衣類用の下着。
【考案の詳細な説明】
【技術分野】
【０００１】
本考案は、アロハシャツやかりゆしウェア（登録商標）その他の開襟シャツのように襟の開いた衣類を着用する際に適する下着に関する。
【背景技術】
【０００２】
化石燃料の消費抑制や省エネ、地球温暖化防止などの目的から、クールビズが呼びかけられ、かつ普及しつつある。そのために、ワイシャツのネクタイを外したノーネクタイ姿が増えてきている。そこで、ネクタイを締めることもてきるし、ノーネクタイでも不自然さの無いシャツとして、特開平９−324301号が提案されている。
【特許文献１】特開平９−324301
【特許文献２】特開2005-42291
【考案の開示】
【考案が解決しようとする課題】
【０００３】
しかしながら、ノーネクタイで襟を開いたシャツを着た場合は、開襟部から下着が見えることが多く、下着を見苦しく感じる人も多い。最初に人目に入りやすい部位だから、なおさら下着が目立つことになる。本考案は、このように開襟部から見える下着の見苦しさを改善するものである。特開2005-42291号に記載のように、Ｔシャツの裏面部分にもプリントをして、着ている人にも詳しいメッセージを与える衣類が提案されているが、この場合も、シャツの開襟部から見える部分については何ら改善されていない。
【０００４】
本考案の技術的課題は、このように衣類の開襟部から下着が見えて、見苦しく思われていることに着目し、開襟部から見えても見苦しさを感じさせない下着を実現することにある。
【課題を解決するための手段】
【０００５】
本考案の技術的課題は次のような手段によって解決される。請求項１は、開襟シャツなどのように襟の開いた衣類の中に着る下着であって、開襟部から見え易い領域に、図柄又は文字その他の表示を設けてなることを特徴とする開襟衣類用の下着である。このように、開襟シャツなどのように襟の開いた衣類の中に着る下着であって、開襟部から見え易い領域に、図柄又は文字その他の表示を設けてあるため、他人が見ても、図柄や文字その他の表示が最初に人目に入るので、下着とは思われず、それどころか逆に好感を与えることができる。その結果、新しいファッションとして普及が期待でき、開襟シャツなどの普及と省エネにも寄与できる。
【０００６】
請求項２は、前記の表示が、人名や企業名のイニシャルその他の文字又はロゴ若しくは商標であることを特徴とする請求項１に記載の開襟衣類用の下着である。このように、前記のように開襟部から見える表示が、人名や企業名のイニシャルその他の文字又はロゴ若しくは商標であると、下着の表示が人名や企業名のイニシャルなどのように意味を持っているため、付加価値が高まる。表示が、その他の文字やロゴ、商標の場合も同様である。
【０００７】
請求項３は、前記の表示が、地名若しくは地図又は地域のシンボルとなる建造物、自然物若しくは動植物であることを特徴とする請求項１に記載の開襟衣類用の下着である。このように、下着の表示が、地名若しくは地図又は地域のシンボルとなる建造物、自然物若しくは動植物であると、着用する人その他の地域の広告宣伝やイメージアップなどの効果を奏する。
【０００８】
請求項４は、前記の表示が、地域の特産品、みやげ品又は伝統品の名称、商標又は図柄であることを特徴とする請求項１に記載の開襟衣類用の下着である。このように、前記の表示が、地域の特産品、みやげ品又は伝統品の名称、商標又は図柄であると、地域の産業や経済の活性化にも寄与できる。
【０００９】
請求項５は、前記の表示に加えて、装飾に適する小物を取付けてあることを特徴とする請求項１から請求項４までのいずれかの項に記載の開襟衣類用の下着である。このように、前記の表示に加えて、装飾に適する小物を取付けてあることによって、前記表示と装飾小物との相乗効果を奏し、下着の最初に人目につきやすい部分を感じよく表現可能となる。
【考案の効果】
【００１０】
請求項１のように、開襟シャツなどのように襟の開いた衣類の中に着る下着であって、開襟部から見え易い領域に、図柄や文字その他の表示を設けてあるため、他人が見ても、図柄や文字その他の表示が最初に人目に入るので、下着とは思われず、それどころか逆に好感を与えることができる。その結果、新しいファッションとして普及が期待でき、開襟シャツなどの普及と省エネにも寄与できる。
【００１１】
請求項２のように、前記のように開襟部から見える表示が、人名や企業名のイニシャルその他の文字又はロゴ若しくは商標であると、下着の表示が人名や企業名のイニシャルなどのように意味を持っているため、付加価値が高まる。表示が、その他の文字やロゴ若しくは商標の場合も同様である。
【００１２】
請求項３のように、下着の表示が、地名若しくは地図又は地域のシンボルとなる建造物、自然物若しくは動植物であると、着用する人その他の地域の広告宣伝やイメージアップなどの効果を奏する。
【００１３】
請求項４のように、前記の表示が、地域の特産品やみやげ品又は伝統品の名称、商標又は図柄であると、地域興しや地域の産業経済の活性化にも寄与できる。
【００１４】
請求項５のように、前記の表示に加えて、装飾に適する小物を取付けてあるため、前記表示と装飾小物との相乗効果で、下着の最初に人目につきやすい部分をより感じよく表現できる。
【考案を実施するための最良の形態】
【００１５】
次に本考案による開襟シャツ用の下着が実際上どのように具体化されるか実施形態を説明する。図１は、開襟シャツの開襟部から下着が見えた状態の正面図で、１が開襟シャツである。その開襟部から見える下着２において、開襟部から見える領域２ａに、「Ｍ・Ｋ」というローマ字が表示されている。これは考案者名のイニシャルであるが、自社の社名のイニシャルでもよい。あるいは、ロゴマークなどであってもよい。これらは、着用している本人や企業の広告宣伝にも寄与できる。下着自体或いは開襟シャツその他の商標であってもよい。下着自体や開襟シャツのイメージアップ、広告宣伝にもなる。
【００１６】
図２は、シャツ１の開襟部から見える下着２の人目に見える領域２ａに地図を表示してある。地図に限らず、地名や地域のシンボルとなる建造物や自然物でもよい。図３は、地域の天然記念動物である蝶の図柄である。これらの表示は、地域の宣伝やイメージアップに有効であり、下着自体の美観も向上し、着用者のセンスの良さを感じさせることもできる。
【００１７】
図４は、下着の開襟部から見える領域２ａに、沖縄地域の伝統芸能で使用される三線（蛇皮線）の図柄を表示してある。このように、地域の特産品、みやげ品又は伝統品の名称や商標、図柄などを表示してあると、地域産業の広告宣伝、イメージアップに有効である。
【００１８】
以上の実施形態では、開襟シャツ用の下着を例示したが、襟が開いた状態で着用する衣類であれば、シャツ以外の衣類でもよい。一方、下着は、少なくとも開襟部から見える領域２ａを高級感のある生地で表現すると、下着らしさをより効果的に解消できる。さらに、下着の表示が引き立つように、ダイヤや真珠、その他の宝飾品、装身具などを取付けることもできる。或いは、地域の小物産品などの立体品を取付けてもよい。その結果、平面の表示と立体品との相乗効果でより効果的に美化でき、より美しく表現できる。
【産業上の利用可能性】
【００１９】
以上のように、下着の衣類開襟部から見える領域に、図柄や文字その他の表示を設けてあるため、衣類の開襟部から見える下着であるにも係わらず、見苦しさを解消できるだけでなく、いろいろな広告宣伝やイメージアップの効果が有り、下着やシャツなどの美観向上と着用者のセンスの良さをアピールできる。その結果、クールビズの普及にも寄与できる。
【図面の簡単な説明】
【００２０】
【図１】開襟シャツの開襟部から下着が見える状態の正面図である。
【図２】シャツの開襟部から見える下着に地図を表示してある。
【図３】地域の天然記念動物である蝶の図柄を表示してある。
【図４】開襟部から見える下着に、沖縄地域の伝統芸能で使用される三線（蛇皮線）の図柄を表示してある。
【符号の説明】
【００２１】
１  開襟シャツ
２  開襟部から見える下着
２ａ  下着の開襟部から見える領域  
【図１】
0003136660.tif 000003
【図２】
0003136660.tif 000004
【図３】
0003136660.tif 000005
【図４】
0003136660.tif 000006
【手続補正書】
【提出日】平成18年10月16日(2006.10.16)
【手続補正１】
【補正対象書類名】実用新案登録請求の範囲
【補正対象項目名】請求項１
【補正方法】変更
【補正の内容】
【請求項１】
開襟シャツなどのように襟の開いた衣類の中に着る下着であって、開襟部から見え易い領域に、図柄又は文字その他の表示を設けてなる、物品の平面的形状を特徴とする開襟衣類用の下着。
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
開襟シャツなどのように襟の開いた衣類の中に着る下着であって、開襟部から見え易い逆三角形状の領域に、図柄又は文字その他の表示を設けてなる、物品の平面的形状を特徴とする開襟衣類用の下着。
【請求項２】
前記の表示が、人名や企業名のイニシャルその他の文字又はロゴ若しくは商標であることを特徴とする請求項１に記載の開襟衣類用の下着。
【請求項３】
前記の表示が、地名若しくは地図又は地域のシンボルとなる建造物、自然物若しくは動植物であることを特徴とする請求項１に記載の開襟衣類用の下着。
【請求項４】
前記の表示が、地域の特産品、みやげ品又は伝統品の名称や商標又は図柄であることを特徴とする請求項１に記載の開襟衣類用の下着。
【請求項５】
前記の表示に加えて、装飾に適する小物を取付けてあることを特徴とする請求項１から請求項４までのいずれかの項に記載の開襟衣類用の下着。
【手続補正書】
【提出日】平成19年3月17日(2007.3.17)
【手続補正１】
【補正対象書類名】実用新案登録請求の範囲
【補正対象項目名】全文
【補正方法】変更
【補正の内容】
【実用新案登録請求の範囲】
【請求項１】
開襟シャツなどのように襟の開いた衣類の中に着る下着であって、前記の襟の開いた部分から見える逆三角形状の領域に、図柄又は文字その他の表示を設けてなる、物品の平面的形状を特徴とする開襟衣類用の下着。
【請求項２】
前記の表示が、人名や企業名のイニシャルその他の文字又はロゴ若しくは商標であることを特徴とする請求項１に記載の開襟衣類用の下着。
【請求項３】
前記の表示が、地名若しくは地図又は地域のシンボルとなる建造物、自然物若しくは動植物であることを特徴とする請求項１に記載の開襟衣類用の下着。
【請求項４】
前記の表示が、地域の特産品、みやげ品又は伝統品の名称や商標又は図柄であることを特徴とする請求項１に記載の開襟衣類用の下着。
【請求項５】
前記の表示に加えて、装飾に適する小物を取付けてあることを特徴とする請求項１から請求項４までのいずれかの項に記載の開襟衣類用の下着。
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
開襟シャツなどのように襟の開いた衣類の中に着る下着であって、前記の襟の開いた部分から見える逆三角形状の領域に、最初に人目に入るように、図柄その他の表示を設けてなることを特徴とする開襟衣類用の下着。
【請求項２】
前記の表示が、人名や企業名のイニシャルその他の文字又はロゴ若しくは商標であることを特徴とする請求項１に記載の開襟衣類用の下着。
【請求項３】
前記の表示が、地名若しくは地図又は地域のシンボルとなる建造物、自然物若しくは動植物であることを特徴とする請求項１に記載の開襟衣類用の下着。
【請求項４】
前記の表示が、地域の特産品、みやげ品又は伝統品の名称や商標又は図柄であることを特徴とする請求項１に記載の開襟衣類用の下着。
【請求項５】
前記の表示に加えて、装飾に適する小物を取付けてあることを特徴とする請求項１から請求項４までのいずれかの項に記載の開襟衣類用の下着。
【手続補正２】
【補正対象書類名】明細書
【補正対象項目名】０００５
【補正方法】変更
【補正の内容】
【０００５】
本考案の技術的課題は次のような手段によって解決される。請求項１は、開襟シャツなどのように襟の開いた衣類の中に着る下着であって、前記の襟の開いた部分から見える逆三角形状の領域に、最初に人目に入るように、図柄その他の表示を設けてなることを特徴とする開襟衣類用の下着である。このように、開襟シャツなどのように襟の開いた衣類の中に着る下着であって、前記の襟の開いた部分から見える逆三角形状の領域に、最初に人目に入るように、図柄その他の表示を設けてあるため、他人が見ても、図柄や文字その他の表示が最初に人目に入るので、下着とは思われず、それどころか逆に好感を与えることができる。その結果、新しいファッションとして普及が期待でき、開襟シャツなどの普及と省エネにも寄与できる。
【手続補正３】
【補正対象書類名】明細書
【補正対象項目名】００１０
【補正方法】変更
【補正の内容】
【００１０】
請求項１のように、開襟シャツなどのように襟の開いた衣類の中に着る下着であって、前記の襟の開いた部分から見える逆三角形状の領域に、最初に人目に入るように、図柄その他の表示を設けてあるため、他人が見ても、図柄や文字その他の表示が最初に人目に入るので、下着とは思われず、それどころか逆に好感を与えることができる。その結果、新しいファッションとして普及が期待でき、開襟シャツなどの普及と省エネにも寄与できる。